(57)【特許請求の範囲】
【請求項１】
（ａ）音を発生するドライバユニットと、
（ｂ）該ドライバユニットを内部に保持する筐体と、
（ｃ）前記ドライバユニットの正面側で前記筐体に接続され、少なくとも一部が外耳道に挿入可能な外耳道挿入部と、
（ｄ）前記ドライバユニットの背面側で前記筐体に接続され、前記ドライバユニットに一端が接続されるケーブルが内部に挿通されるケーブル保持部とを有するイヤホンであって、
（ｅ）前記ケーブル保持部は、該ケーブル保持部の軸方向に延在するケーブル収容凹部と、該ケーブル収容凹部の両側の内壁を互いに対向する方向に向けて突出させた前記ケーブルを保持する保持凸部であって、前記ケーブル保持部の軸方向の複数箇所に形成された保持凸部とを備えることを特徴とするイヤホン。
【請求項２】
前記保持凸部がケーブルを保持する箇所には、粘着性材料が付与されている請求項１に記載のイヤホン。
【請求項３】
前記筐体は、前記ドライバユニットの前面側に形成された前方空間と、前記外耳道挿入部に形成され、前端が開放され、後端が前記前方空間に接続された音導孔と、前記ドライバユニットの背面側に形成された後方空間と、前端が前記後方空間に接続されるとともに、前記ケーブル保持部内のケーブル収容凹部の前端が接続されている後方突出空間とを備え、
前記音導孔は、その中心軸が前記ドライバユニットの中心軸に対して傾斜し、かつ、その前記前方空間への接続位置が傾斜方向に偏倚し、
前記後方突出空間は、その前記後方空間への接続位置が前記音導孔の前方空間への接続位置と反対側に偏倚している請求項１又は２に記載のイヤホン。
【請求項４】
前記音導孔の前方空間への接続端縁における前記音導孔の中心軸から観た前記傾斜方向と反対側の遠位端は、前記ドライバユニットの中心軸上又は該中心軸よりも前記傾斜方向と反対側に位置する請求項３に記載のイヤホン。
【発明の詳細な説明】
【技術分野】
【０００１】
本発明は、少なくとも一部が外耳道に挿入される外耳道挿入部を有するイヤホンに関するものである。
【背景技術】
【０００２】
従来、耳介に装着されて使用されるイヤホンとして、外耳道に挿入される突起部を備えていない、いわゆるイヤホン型ヘッドホンと呼ばれるタイプのものが知られている（例えば、特許文献１参照。）。このようなイヤホンは、ダイナミック型のドライバユニットを有し、該ドライバユニットが備える振動板を振動させて音を発生する。
【０００３】
図６は従来のイヤホンの構造を示す断面図である。
【０００４】
図において、８１３はイヤホンの後部ハウジングであり、その内部にドライバユニット８４１が取付けられ、後部ハウジング８１３の先端（図における下端）に嵌（かん）着されたリング状の前部ハウジング８１２によって、前記ドライバユニット８４１が固定されている。また、後部ハウジング８１３の後面からはダクト状のケーブル保持部８１５が延出し、該ケーブル保持部８１５内には一端がドラバユニット８４１に接続され、他端が図示されない音楽プレーヤ、テレビ、ラジオ、ビデオデッキ等の図示されない音響機器に接続される電線ケーブル８９１が収容されている。
【０００５】
そして、前記ドライバユニット８４１は、磁気回路を形成するマグネット８４３、プレート８４４及びヨーク８４５と、振動系を形成する振動板８４６及びボイスコイル８４７とを備える。具体的には、ディスク状のマグネット８４３の両面にプレート８４４及びヨーク８４５が固着されている。なお、マグネット８４３は、例えば、サマリウムコバルトマグネットである。また、プレート８４４とヨーク８４５とが対向する空間に磁気ギャップが形成され、振動板８４６に固着されたボイスコイル８４７が前記磁気ギャップに挿入されている。振動板８４６は、例えば、ポリエステルフィルムである。なお、イヤホンの前面、すなわち、振動板８４６の前方（図における下方）には、比較的大きな多数の開口を備えるメッシュ状の保護板８４８が配設されている。
【０００６】
また、マグネット８４３、プレート８４４及びヨーク８４５の中心部には貫通孔（こう）８４９が形成され、該貫通孔８４９には発泡ウレタン等から成る抵抗材８７１が埋設されている。さらに、ドライバユニット８４１には、複数の孔（あな）８７０が形成されている。
【０００７】
イヤホンを耳介の凹部に装着すると、イヤホンの前面に配設された保護板８４８が外耳道の入口に対向し、振動板８４６の振動によって発生した音が、保護板８４８の開口を通して外耳道の内部に入射し、鼓膜に到達する。
【先行技術文献】
【特許文献】
【０００８】
【特許文献１】実公平４−５０７１８号公報
【発明の概要】
【発明が解決しようとする課題】
【０００９】
しかしながら、前記従来のイヤホンにおいては、耳介の凹部に装着するので、装着性が悪く、特に、歩行中のように、使用者が静止状態でない場合に、耳介から外れてしまうことがある。また、外耳道との位置関係が不安定となり、外耳道に入射する音の音量及び音質が不安定となる。さらに、後部ハウジング８１３の後面は、空洞状のケーブル保持部８１５を介して、外部に開放されているので、いわゆる音抜けが発生し、ドライバユニット８４１の後方の空間が密閉された音響空間として適切に機能しなくなってしまう。
【００１０】
また、近年では、弾性を備える軟質ゴム等から成るイヤーパッドを有し、該イヤーパッドを外耳道に挿入するタイプのイヤホンが提供されている。このようなイヤホンは、柔軟なイヤーパッドを外耳道に挿入して装着するので、耳介に確実に装着することができ、歩行中でも、耳介から外れてしまうことがない。また、イヤーパッドが弾性を備える材料から成るので、外耳道の形状に合せて容易に弾性変形させることができ、良好な装着感を得ることができる。
【００１１】
しかし、イヤーパッドを外耳道に挿入すると、該外耳道によって押圧されて変形したイヤーパッドにより外耳道の内外が遮断され、イヤホンから外耳道に入射した音が外に抜けないので、いわゆる、音の抜けが悪くなり、音にこもり感、もごつき感等が生じ、音質が低下する。
【００１２】
本発明は、前記従来のイヤホンの問題点を解決して、筐（きょう）体とケーブル保持部との境界部分を閉止することによって、筐体内におけるドライバユニットの背面側の空間を音響空間として機能させることができ、音抜けが発生することがなく、小型で音質が高いイヤホンを提供することを目的とする。
【課題を解決するための手段】
【００１３】
そのために、本発明のイヤホンにおいては、音を発生するドライバユニットと、該ドライバユニットを内部に保持する筐体と、前記ドライバユニットの正面側で前記筐体に接続され、少なくとも一部が外耳道に挿入可能な外耳道挿入部と、前記ドライバユニットの背面側で前記筐体に接続され、前記ドライバユニットに一端が接続されるケーブルが内部に挿通されるケーブル保持部とを有するイヤホンであって、前記ケーブル保持部は、該ケーブル保持部の軸方向に延在するケーブル収容凹部と、該ケーブル収容凹部の両側の内壁を互いに対向する方向に向けて突出させた前記ケーブルを保持する保持凸部であって、前記ケーブル保持部の軸方向の複数箇所に形成された保持凸部とを備える。
【００１４】
本発明の他のイヤホンにおいては、さらに、前記保持凸部がケーブルを保持する箇所には、粘着性材料が付与されている。
【００１５】
本発明の更に他のイヤホンにおいては、さらに、前記筐体は、前記ドライバユニットの前面側に形成された前方空間と、前記外耳道挿入部に形成され、前端が開放され、後端が前記前方空間に接続された音導孔と、前記ドライバユニットの背面側に形成された後方空間と、前端が前記後方空間に接続されるとともに、前記ケーブル保持部内のケーブル収容凹部の前端が接続されている後方突出空間とを備え、前記音導孔は、その中心軸が前記ドライバユニットの中心軸に対して傾斜し、かつ、その前記前方空間への接続位置が傾斜方向に偏倚（へんい）し、前記後方突出空間は、その前記後方空間への接続位置が前記音導孔の前方空間への接続位置と反対側に偏倚している。
【００１６】
本発明の更に他のイヤホンにおいては、さらに、前記音導孔の前方空間への接続端縁における前記音導孔の中心軸から観た前記傾斜方向と反対側の遠位端は、前記ドライバユニットの中心軸上又は該中心軸よりも前記傾斜方向と反対側に位置する。
【発明の効果】
【００１７】
本発明によれば、イヤホンは、筐体とケーブル保持部との境界部分が閉止されている。これにより、筐体内におけるドライバユニットの背面側の空間を音響空間として機能させることができるので、音抜けが発生することがなく、小型で音質が高いイヤホンを提供することができる。
【図面の簡単な説明】
【００１８】
【図１】本発明の実施の形態におけるイヤホンの第１の斜視図であって、（ａ）及び（ｂ）は相互に異なる角度から観た図である。
【図２】本発明の実施の形態におけるイヤホンの第２の斜視図であって、（ａ）及び（ｂ）は相互に異なる角度から観た図である。
【図３】本発明の実施の形態におけるイヤホンの二面図であって、（ａ）は図１におけるＡ−Ａ矢視図、（ｂ）は図１におけるＢ−Ｂ矢視断面図である。
【図４】本発明の実施の形態におけるイヤホンの斜視図であって蓋（ふた）体を外した状態を示す図である。
【図５】本発明の実施の形態におけるイヤホンの二面図であって、（ａ）は蓋体を外した状態の背面図、（ｂ）は蓋体を取付けた状態での（ａ）におけるＣ−Ｃ矢視断面図である。
【図６】従来のイヤホンの構造を示す断面図である。
【発明を実施するための形態】
【００１９】
以下、本発明の実施の形態について図面を参照しながら詳細に説明する。
【００２０】
図１は本発明の実施の形態におけるイヤホンの第１の斜視図、図２は本発明の実施の形態におけるイヤホンの第２の斜視図、図３は本発明の実施の形態におけるイヤホンの二面図である。なお、図１及び２において、（ａ）及び（ｂ）は相互に異なる角度から観た図であり、図３において、（ａ）は図１におけるＡ−Ａ矢視図、（ｂ）は図１におけるＢ−Ｂ矢視断面図である。
【００２１】
図において、１０は本実施の形態におけるイヤホンであり、使用者の耳介に装着されて使用され、電気信号である音声信号によって駆動され、音声信号を再生する小型の音声発生器である。そして、前記イヤホン１０は、音声信号を再生して音を発生するスピーカユニットとしてのドライバユニット４１を内蔵するハウジングとしての筐体１１を有する。該筐体１１は、ドライバユニット４１の背面側に位置するメインハウジングとしての主筐体１２と、ドライバユニット４１の正面側に位置し、前記主筐体１２の前面側に結合されるキャップとしての蓋筐体１４とを備える。そして、前記ドライバユニット４１は、前記主筐体１２と蓋筐体１４との間に挟込まれるようにして保持される。
【００２２】
なお、前記ドライバユニット４１は、音声信号を再生して音を発生するものであればいかなる種類のものであってもよいが、ここでは、いわゆるダイナミック型のものであって、図示されない振動板を振動させて音を発生するものである場合について説明する。この場合、前記ドライバユニット４１は、「背景技術」の項で説明した従来のイヤホンのドライバユニット８４１と同様の構成を有する。すなわち、本実施の形態において、ドライバユニット４１の説明については、従来のイヤホンのドライバユニット８４１の説明を援用する。
【００２３】
また、前記蓋筐体１４は、概略円盤状又は円形皿状の部材であり、前方に向けて突出する円筒状の外耳道挿入部としての挿入凸部１７が接続されている。該挿入凸部１７は、蓋筐体１４と一体的に形成された部材であり、少なくともその先端部が使用者の外耳道に挿入可能な形状及び寸法を備える。
【００２４】
なお、前記筐体１１は、例えば、合成樹脂等の樹脂から成るが、アルミニウム、鋼、銅等の金属から成るものであってもよいし、樹脂、カーボン、金属等を複合した複合材から成るものであってもよい。
【００２５】
また、本実施の形態において、イヤホン１０の各部の構成及び動作を説明するために使用される上、下、左、右、前、後等の方向を示す表現は、絶対的なものでなく相対的なものであり、イヤホン１０又はその部品が図に示される姿勢である場合に適切であるが、イヤホン１０又はその部品の姿勢が変化した場合には、姿勢の変化に応じて変更して解釈されるべきものである。
【００２６】
さらに、前記主筐体１２は、後方に向けて突出する円筒状の後方突出部１２ａを含み、該後方突出部１２ａには、前記ドライバユニット４１に一端が接続されるケーブルとしての電線ケーブル９１の一部を取囲んで保持する角筒状のケーブル保持部１５の前端が接続されている。なお、前記後方突出部１２ａ及びケーブル保持部１５の背面側は、平板状の蓋体１３によって閉鎖されている。
【００２７】
前記電線ケーブル９１の先端から露出する図示されないリード線の先端がはんだ付等の接続手段によって、前記ドライバユニット４１に導電可能に接続されている。なお、前記電線ケーブル９１が外部から引張られると、リード線の先端とドライバユニット４１との接続部分が破断し、電線ケーブル９１が筐体１１及びケーブル保持部１５から抜けてしまう可能性がある。そこで、電線ケーブル９１の一端付近に結び目９１ａが形成され、後方突出部１２ａ内の後方突出空間２４ａ内に収容されている。
【００２８】
そして、ケーブル保持部１５の後端部１５ｃに形成された開口１５ｄからは、電線ケーブル９１が延出する。なお、図においては、図示の都合上、電線ケーブル９１は、ケーブル保持部１５に近接する部分のみが描画され、他の部分は描画が省略されている。そして、電線ケーブル９１の図示されない他端においては、音楽プレーヤ、テレビ、ラジオ、ビデオデッキ等の図示されない音響機器が前記リード線の他端に導電可能に接続される。
【００２９】
前記ドライバユニット４１と該ドライバユニット４１の前面側に位置する蓋筐体１４との間には、音響空間、すなわち、前方音響空間として機能する前方空間２１が形成され、前記挿入凸部１７内には、後端が前方空間２１に連通し、前端が開放された円筒状開口である音導孔としての筐体音導孔２２が形成されている。これにより、ドライバユニット４１が発生した音が、前方空間２１及び筐体音導孔２２を通して使用者の外耳道に入射する。
【００３０】
なお、図３（ｂ）に示されるように、前記挿入凸部１７及び筐体音導孔２２は、互いに同軸となるように形成され、かつ、前記蓋筐体１４、前方空間２１及びドライバユニット４１の前面に対して一方（図３における左方）に傾斜している。図に示される例において、前記筐体音導孔２２の中心軸２２ａ（挿入凸部１７の中心軸と同軸）と、円形であるドライバユニット４１の前面の中心を通る垂線、すなわち、ドライバユニット４１の中心軸４１ａ（蓋筐体１４及び前方空間２１の中心軸と同軸）とのなす角度αは、例えば、２０〜４０度程度、望ましくは３０度程度に設定されている。
【００３１】
また、前記挿入凸部１７及び筐体音導孔２２が前記蓋筐体１４及び前方空間２１に接続されている位置は、前記蓋筐体１４、前方空間２１及びドライバユニット４１の前面の中心からずれて、一方（図３における左方）に偏倚している。すなわち、前記挿入凸部１７及び筐体音導孔２２は、傾斜方向に偏倚して前記蓋筐体１４及び前方空間２１に接続されている。この場合、前記筐体音導孔２２の前方空間２１への接続端縁２１ａにおける筐体音導孔２２の中心軸２２ａから観た前記傾斜方向と反対側の遠位端は、ドライバユニット４１の中心軸４１ａ上又は該中心軸４１ａよりも前記傾斜方向と反対側に位置する。なお、望ましくは、前記遠位端がドライバユニット４１の中心軸４１ａ上に位置する。
【００３２】
このように、前記挿入凸部１７が蓋筐体１４に対して一方に偏倚し、かつ、傾斜しているので、使用者がイヤホン１０を装着すると、蓋筐体１４が耳介に密着し、かつ、挿入凸部１７が外耳道にスムーズに挿入される。したがって、イヤホン１０の装着性及びフィット性が良好であり、歩行中のように、使用者が静止状態でない場合にも、耳介から外れてしまうことがない。また、外部に音が漏れてしまうこともない。
【００３３】
さらに、接続端縁２１ａにおける筐体音導孔２２の中心軸２２ａから観た傾斜方向と反対側の遠位端が、ドライバユニット４１の中心軸４１ａ上又は該中心軸４１ａよりも傾斜方向と反対側に位置するように、筐体音導孔２２の前方空間２１への接続位置が設定されているので、音が前方空間２１から筐体音導孔２２を通ってスムーズに外耳道に入射し、その結果、イヤホン１０の音質も上質、かつ、一定のものとなる。
【００３４】
また、前記ドライバユニット４１と該ドライバユニット４１の背面側に位置する主筐体１２との間には、音響空間、すなわち、後方音響空間として機能する後方空間２４が形成されている。そして、後方突出部１２ａ内の後方突出空間２４ａの前端が後方空間２４に連通し、該後方空間２４とともに音響空間として機能する。具体的には、前記後方空間２４の音響空間としての機能を補助する補助後方音響空間として機能する。
【００３５】
なお、図３（ｂ）に示されるように、前記後方突出部１２ａ及び後方突出空間２４ａが前記主筐体１２及び後方空間２４に接続されている位置は、前記主筐体１２、後方空間２４及びドライバユニット４１の背面の中心からずれて、他方（図３における右方）に偏倚している。すなわち、前記挿入凸部１７及び筐体音導孔２２の傾斜する方向及び偏倚している方向と反対方向に、偏倚している。このように、後方に突出して補助後方音響空間として機能する後方突出空間２４ａが、筐体音導孔２２の傾斜する方向及び偏倚している方向と反対方向に偏倚しているので、前方空間２１から筐体音導孔２２を通って外耳道に入射する音の音質が良好になる。
【００３６】
また、後方突出空間２４ａ内には電線ケーブル９１の結び目９１ａが収容されている。これにより、リード線が後方空間２４及び後方突出空間２４ａ内においてぶら下った状態で変位することが防止され、後方空間２４及び後方突出空間２４ａの音響空間としての機能がリード線によって損われることがない。
【００３７】
次に、前記ケーブル保持部１５の構造について詳細に説明する。
【００３８】
図４は本発明の実施の形態におけるイヤホンの斜視図であって蓋体を外した状態を示す図、図５は本発明の実施の形態におけるイヤホンの二面図である。なお、図５において、（ａ）は蓋体を外した状態の背面図、（ｂ）は蓋体を取付けた状態での（ａ）におけるＣ−Ｃ矢視断面図である。
【００３９】
図に示されるように、ケーブル保持部１５の内部には、該ケーブル保持部１５の軸方向（図５（ａ）における横方向）に延在する断面略矩（く）形の溝状のケーブル収容凹部１５ａが形成されている。該ケーブル収容凹部１５ａは、その前端が後方突出空間２４ａに連通し、その後端はケーブル保持部１５の後端部１５ｃによって閉止されている。なお、該後端部１５ｃに形成された開口１５ｄは、電線ケーブル９１の外径よりも大きな径の円形開口であるため、ケーブル収容凹部１５ａの後端は、電線ケーブル９１の周囲を通して実質的に外部に連通している。
【００４０】
そして、前記ケーブル収容凹部１５ａの対向する内側壁には、内方に向けて突出するような形状の保持凸部としての内部リブ１５ｂが、それぞれ、一体的に形成されている。該内部リブ１５ｂは、ケーブル保持部１５の軸方向の複数箇所（図に示される例では３箇所）に形成されることが望ましいが、１箇所のみに形成されていてもよい。なお、前記内部リブ１５ｂは、ケーブル収容凹部１５ａの前端であって後方突出空間２４ａとの境界部分付近の少なくとも１箇所に形成されることが望ましい。
【００４１】
また、各箇所における内部リブ１５ｂは、ケーブル収容凹部１５ａの両側の内側壁から、互いに対向する方向に向けて突出するように形成されている。したがって、互いに対向する内部リブ１５ｂの先端同士の間隔は、ケーブル収容凹部１５ａの両側の内側壁同士の間隔よりも狭くなっている。そのため、電線ケーブル９１を互いに対向する内部リブ１５ｂの先端同士の間に押込むと、電線ケーブル９１は、内部リブ１５ｂによって両側から把持され、確実に保持される。
【００４２】
これにより、電線ケーブル９１の抜けを確実に防止することができる。また、電線ケーブル９１が外部から引張られても、該電線ケーブル９１の先端から露出するリード線の先端とドライバユニット４１との接続部に力がかからないので、該接続部が破断してしまうことがない。さらに、必要に応じて、結び目９１ａを省略することもできる。
【００４３】
また、前記蓋体１３は、概略しゃもじ状の板部材であり、後方突出部１２ａ及びケーブル保持部１５の背面を覆って閉鎖する。そして、前記蓋体１３の前端（図４における上端）における前面には、前方に向けて突出する第１掛止部１３ａが一体的に形成されている。該第１掛止部１３ａは、後方突出部１２ａの内側壁から突出する掛止凸部１２ｂに掛止され、これにより、蓋体１３が後方突出部１２ａの背面に取付けられた状態でロックされる。また、前記蓋体１３の後端（図４における下端）おける前面には、第２掛止部１３ｂが一体的に形成されている。該第２掛止部１３ｂは、ケーブル保持部１５の内側壁に掛止され、これにより、蓋体１３がケーブル保持部１５の背面に取付けられた状態でロックされる。さらに、前記蓋体１３の前面の中央部には、軸方向に延在する突条部１３ｃが一体的に形成されている。該突条部１３ｃは、図５（ｂ）に示されるように、蓋体１３が後方突出部１２ａの背面に取付けられた状態で内部リブ１５ｂの上端に当接する。
【００４４】
そして、前記蓋体１３の背面は、平面状であるので、印刷、シートの貼（てん）付等の手法によって、任意の図柄、色彩等を施すことができる。したがって、イヤホン１０のデザイン性が向上する。
【００４５】
図５（ｂ）に示されるように、内部リブ１５ｂが形成されている箇所においては、電線ケーブル９１が配設されることもあって、ケーブル収容凹部１５ａ内の空間が事実上閉止されている。すなわち、内部リブ１５ｂ、電線ケーブル９１及び蓋体１３の間には、極めて狭い空間のみが残存する状態となるので、ケーブル収容凹部１５ａ内の空間が事実上閉止された状態となる。なお、図５（ｂ）は、３箇所に形成された内部リブ１５ｂのうちの中間に形成された内部リブ１５ｂの箇所の断面を示しているが、他の内部リブ１５ｂの箇所の断面も同様である。
【００４６】
そして、ケーブル収容凹部１５ａの前端であって後方突出空間２４ａとの境界部分付近の内部リブ１５ｂ（図５（ａ）において左から１番目の内部リブ１５ｂ）が形成されている箇所において、ケーブル収容凹部１５ａ内の空間が事実上閉止されているので、後方突出空間２４ａの後端が画定される。したがって、音響空間としての後方突出空間２４ａ及び該後方突出空間２４ａを含む音響空間としての後方空間２４の容積を所定の値に保持することができ、高い音質を得ることができる。
【００４７】
また、後方突出空間２４ａの後端が閉止されるので、ケーブル収容凹部１５ａ及び後端部１５ｃに形成された開口１５ｄを通して音が外部に漏れる現象である、いわゆる音漏れを防止することができる。
【００４８】
なお、必要に応じて、内部リブ１５ｂが電線ケーブル９１を保持している箇所に接着剤等の粘着性材料を付与することによって、内部リブ１５ｂ、電線ケーブル９１及び蓋体１３の間に残存する狭い空間を完全に封止することもできる。これにより、後方突出空間２４ａの後端がより確実に画定されるので、音響空間としての後方突出空間２４ａ及び該後方突出空間２４ａを含む音響空間としての後方空間２４の容積を所定の値に確実に保持することができ、より高い音質を得ることができる。また、後方突出空間２４ａの後端が確実に閉止されるので、音漏れを確実に防止することができる。さらに、内部リブ１５ｂ、電線ケーブル９１及び蓋体１３の間に残存する狭い空間を封止する程度の量の粘着性材料を付与すればよいので、該粘着性材料の付与量が少なくて済み、コストの増加を抑制することができる。
【００４９】
また、ケーブル収容凹部１５ａの前端であって後方突出空間２４ａとの境界部分付近に形成された内部リブ１５ｂの位置を、ケーブル保持部１５の軸方向に変化させることによって、音響空間としての後方突出空間２４ａ及び該後方突出空間２４ａを含む音響空間としての後方空間２４の容積を変化させることができ、イヤホン１０の音質を調整することが可能となる。図４及び５（ａ）に示される例においては、ケーブル収容凹部１５ａの前端であって後方突出空間２４ａとの境界部分付近に形成された内部リブ１５ｂが、ケーブル収容凹部１５ａの最前端よりもやや後端寄りに位置していることが分かる。これにより、内部リブ１５ｂをケーブル収容凹部１５ａの最前端に位置させた場合と比較して、後方突出空間２４ａ及び該後方突出空間２４ａを含む後方空間２４の容積が大きくなるように調整され、イヤホン１０の音質がより上質となるように調整されている。
【００５０】
このように、本実施の形態におけるイヤホン１０は、音を発生するドライバユニット４１と、ドライバユニット４１を内部に保持する筐体１１と、ドライバユニット４１の正面側で筐体１１に接続され、少なくとも一部が外耳道に挿入可能な挿入凸部１７と、ドライバユニット４１の背面側で筐体１１に接続され、ドライバユニット４１に一端が接続される電線ケーブル９１が内部に挿通されるケーブル保持部１５とを有し、ケーブル保持部１５は、内方に向けて突出して電線ケーブル９１を保持する内部リブ１５ｂであって、筐体１１とケーブル保持部１５との境界部分を閉止する内部リブ１５ｂを備える。
【００５１】
これにより、筐体１１とケーブル保持部１５との境界部分を閉止することができるので、筐体１１内におけるドライバユニットの背面側の空間を音響空間として機能させることができる。また、音抜けが発生することがない。そして、イヤホン１０を小型化しても、高い音質を得ることができる。
【００５２】
また、内部リブ１５ｂが電線ケーブル９１を保持する箇所には、粘着性材料が付与されている。これにより、内部リブ１５ｂの周囲の空間を完全に封止することができるので、音響空間としての機能を向上させることができ、より高い音質を得ることができる。
【００５３】
さらに、筐体１１は、ドライバユニット４１の前面側に形成された前方空間２１と、挿入凸部１７に形成され、前端が開放され、後端が前方空間２１に接続された筐体音導孔２２と、ドライバユニット４１の背面側に形成された後方空間２４と、前端が後方空間２４に接続されるとともに、ケーブル保持部１５内のケーブル収容凹部１５ａの前端が接続されている後方突出空間２４ａとを備え、筐体音導孔２２は、その中心軸２２ａがドライバユニット４１の中心軸４１ａに対して傾斜し、かつ、その前方空間２１への接続位置が傾斜方向に偏倚し、後方突出空間２４ａは、その後方空間２４への接続位置が筐体音導孔２２の前方空間２１への接続位置と反対側に偏倚している。このように、筐体音導孔２２が傾斜し、かつ、傾斜方向に偏倚しているので、使用者がイヤホン１０を装着すると、筐体１１が耳介に密着し、かつ、挿入凸部１７が外耳道にスムーズに挿入されるので、イヤホン１０の装着性及びフィット性が良好で、かつ、外部に音が漏れてしまうこともない。また、後方突出空間２４ａが、筐体音導孔２２と反対側に偏倚して後方空間２４へ接続されているので、筐体音導孔２２が傾斜し、かつ、傾斜方向に偏倚していても、良質の音を筐体音導孔２２を通して出射することができる。
【００５４】
さらに、筐体音導孔２２の前方空間２１への接続端縁２１ａにおける筐体音導孔２２の中心軸２２ａから観た傾斜方向と反対側の遠位端は、ドライバユニット４１の中心軸４１ａ上又は中心軸４１ａよりも傾斜方向と反対側に位置する。これにより、イヤホン１０の装着性及びフィット性が更に良好になる。
【００５５】
なお、本発明は前記実施の形態に限定されるものではなく、本発明の趣旨に基づいて種々変形させることが可能であり、それらを本発明の範囲から排除するものではない。
【産業上の利用可能性】
【００５６】
本発明は、少なくとも一部が外耳道に挿入される外耳道挿入部を有するイヤホンに適用することができる。
【符号の説明】
【００５７】
１０    イヤホン
１１    筐体
１２    主筐体
１２ａ    後方突出部
１２ｂ    掛止凸部
１３    蓋体
１３ａ    第１掛止部
１３ｂ    第２掛止部
１３ｃ    突条部
１４    蓋筐体
１５、８１５    ケーブル保持部
１５ａ    ケーブル収容凹部
１５ｂ    内部リブ
１５ｃ    後端部
１５ｄ    開口
１７    挿入凸部
２１    前方空間
２１ａ    接続端縁
２２    筐体音導孔
２２ａ、４１ａ    中心軸
２４    後方空間
２４ａ    後方突出空間
４１、８４１    ドライバユニット
９１、８９１    電線ケーブル
９１ａ    結び目
８１２    前部ハウジング
８１３    後部ハウジング
８４３    マグネット
８４４    プレート
８４５    ヨーク
８４６    振動板
８４７    ボイスコイル
８４８    保護板
８４９    貫通孔
８７０    孔
８７１    抵抗材
【図１】
0005600571.tif 000002
【図２】
0005600571.tif 000003
【図３】
0005600571.tif 000004
【図４】
0005600571.tif 000005
【図５】
0005600571.tif 000006
【図６】
0005600571.tif 000007